(57)【要約】【課題】  親機が取り外されたら近隣にそれを報知でき、更に親機以外の場所に来訪者映像を保存することで親機が取り外されても来訪者映像を確認できるインターホンシステムを提供する。【解決手段】  居住者を呼び出して通話する機能を備えると共に来訪者を撮像するための子機カメラを備えた子機１と、子機１からの呼び出しに応答する機能を備えると共に子機カメラの撮像映像を表示するモニタを備えた親機２とを有し、子機ＣＰＵ１は子機１と親機２とを接続している伝送線Ｌ１の断線を検知したら子機から警報音を発報させ、親機ＣＰＵ２８は伝送線Ｌ１の断線を検知したら親機２から警報音を発報させる。【選択図】  図１
2019068359.tif 000002
【特許請求の範囲】
【請求項１】
居住者を呼び出して通話する機能を備えると共に来訪者を撮像するための子機カメラを備えた子機と、前記子機からの呼び出しに応答する機能を備えると共に前記子機カメラの撮像映像を表示するモニタを備えた親機とを有するインターホンシステムであって、
前記子機は、前記子機と前記親機とを接続している伝送線の断線を検知する子機断線検知部を備えており、
前記子機断線検知部は、断線を検知したら前記子機から警報音を発報させることを特徴とするインターホンシステム。
【請求項２】
前記親機は、前記伝送線の断線を検知する親機断線検知部を備えており、
前記親機断線検知部は、断線を検知したら前記親機から警報音を発報させることを特徴とする請求項１記載のインターホンシステム。
【請求項３】
前記子機は、前記子機カメラの撮像映像を保存する第１映像保存部を有することを特徴とする請求項１又は２記載のインターホンシステム。
【請求項４】
前記親機は前記子機カメラの撮像映像を保存する第２映像保存部と、前記子機から送信された前記子機カメラの撮像映像を制御する親機映像制御部とを有し、
前記親機映像制御部は、前記親機の操作或いは設定に従い前記第２映像保存部への保存を制御する一方、前記子機カメラの起動に連動して前記第１映像保存部へ映像が保存されることを特徴とする請求項１乃至３の何れかに記載のインターホンシステム。
【発明の詳細な説明】
【技術分野】
【０００１】
本発明は、来訪者が居住者を呼び出して通話するインターホンシステムに関し、特に来訪者が操作する子機にカメラを備えたインターホンシステムに関する。
【背景技術】
【０００２】
玄関等に設置されて来訪者が操作する子機にカメラを備えて、住戸内に設置した親機に来訪者を撮像した映像を表示するモニタを備えたインターホンシステムが防犯に有効であるため普及している。このような防犯機能を備えたインターホンシステムには、留守時には来訪者の映像を自動録画する留守モード機能を備えたものがある（例えば、特許文献１参照）。
【先行技術文献】
【特許文献】
【０００３】
【特許文献１】特開２００６−９４０２０号公報
【発明の概要】
【発明が解決しようとする課題】
【０００４】
上記留守モード機能により呼出操作を受けて自動録画する親機は、留守時の訪問者映像を録画して保存するため、不審者が呼出操作した場合も録画するため防犯に有効であった。しかしながら、この自動録画機能を認識している空き巣等の侵入者は、保存映像から自身が特定されないように映像保存部が設けられている親機を取り外して持って帰ったり破壊する問題が発生し、せっかくの録画機能が役立たない場合があった。
【０００５】
そこで、本発明はこのような問題点に鑑み、親機が取り外されたら近隣にそれを報知でき、更に親機以外の場所に来訪者映像を保存することで親機が取り外されても来訪者映像を確認することが可能なインターホンシステムを提供することを目的としている。
【課題を解決するための手段】
【０００６】
上記課題を解決する為に、請求項１の発明は、居住者を呼び出して通話する機能を備えると共に来訪者を撮像するための子機カメラを備えた子機と、子機からの呼び出しに応答する機能を備えると共に子機カメラの撮像映像を表示するモニタを備えた親機とを有するインターホンシステムであって、子機は、子機と親機とを接続している伝送線の断線を検知する子機断線検知部を備えており、子機断線検知部は、断線を検知したら子機から警報音を発報させることを特徴とする。
この構成によれば、子機と親機の間に配設された伝送線が断線したら、子機から警報音が発報されるため、空き巣等の侵入者が親機を取り外したら子機が発報動作して近所に異常発生を通知でき、不審者の撃退に有効であるし、近隣に注意を促すことができる。
【０００７】
請求項２の発明は、請求項１に記載の構成において、親機は、伝送線の断線を検知する親機断線検知部を備えており、親機断線検知部は、断線を検知したら親機から警報音を発報させることを特徴とする。
この構成によれば、子機と親機の間に配設された伝送線が断線したら、親機からも警報音が発報されるため、親機を取り外した空き巣等の侵入者を慌てさせて速やかな退散を促すことが可能となり、防犯に有効である。
【０００８】
請求項３の発明は、請求項１又は２に記載の構成において、子機は、子機カメラの撮像映像を保存する第１映像保存部を有することを特徴とする。
この構成によれば、子機カメラの撮像映像を子機自身が保存するため、親機が故障或いは破壊されても来訪者映像を取り出して確認することが可能であり、不審者の特定に有効でありセキュリティの向上に役立つ。
【０００９】
請求項４の発明は、請求項１乃至３の何れかに記載の構成において、親機は子機カメラの撮像映像を保存する第２映像保存部と、子機から送信された子機カメラの撮像映像を制御する親機映像制御部とを有し、親機映像制御部は、親機の操作或いは設定に従い第２映像保存部への保存を制御する一方、子機カメラの起動に連動して第１映像保存部へ映像が保存されることを特徴とする。
この構成によれば、子機カメラの撮像映像は常に第１映像保存部に保存されるので、親機の所定の操作、例えば留守設定等の親機において自動録画する操作をし忘れても子機カメラの撮像映像を残すことができ、留守時の来訪者映像の確認が可能であり、セキュリティ機能を向上できる。
【発明の効果】
【００１０】
本発明によれば、子機と親機の間に配設された伝送線が断線したら、子機から警報音が発報されるため、空き巣等の侵入者が親機を取り外したら子機が発報動作して近所に異常発生を通知でき、不審者の撃退に有効である。
【図面の簡単な説明】
【００１１】
【図１】インターホンシステムの一例を示す構成図であり、個々の機器を回路ブロック図で示している。
【発明を実施するための形態】
【００１２】
以下、本発明を具体化した実施の形態を、図面を参照して詳細に説明する。図１は本発明に係るインターホンシステムの構成図であり、１は玄関に設置されて来訪者が居住者を呼び出して通話するための子機、２は住戸内に設置されて子機１からの呼び出しに応答するための親機であり両者の間には互いに通信するための伝送線Ｌ１が配設されている。
【００１３】
子機１は、居住者を呼び出すための呼出ボタン１１、来訪者を撮像するための子機カメラ１２、通話するためのマイク及びスピーカを備えた子機通話部１３、子機カメラ１２の撮像映像を保存する子機記憶部（第１映像保存部）１４、子機カメラ１２の撮像映像を親機２に送信するためにＦＭ変調等実施する子機映像処理部１５、子機１を制御する子機ＣＰＵ１６、親機２と通信するための子機通信ＩＦ１７、非常用電源としての子機蓄電池１８等を備えている。
【００１４】
親機２は、子機１からの呼び出しに応答するための通話ボタン２１、各種操作をする親機操作部２２、通話するためのマイク及びスピーカを備えた親機通話部２３、子機カメラ１２の撮像映像及び保存映像や各種情報を表示するモニタ２５、復調処理等を行いモニタ２５に表示する映像を生成する親機映像処理部２６、映像を保存する親機記憶部（第２映像保存部）２７、親機２を制御する親機ＣＰＵ２８、子機１と通信する親機通信ＩＦ２９、商用電源に接続されて親機２及び子機１の動作電源を生成する電源部３０、非常用電源としての親機蓄電池３１等を備えている。
【００１５】
上記の如く構成されたインターホンシステムの動作は以下の様である。但し、子機１からの呼び出し、親機２からの応答に関しては従来と同様であるため説明を省略し、ここでは子機カメラ１２の撮像映像の保存を中心に説明する。
まず、通常モード状態で子機１の呼出ボタン１１が押下されて呼出操作されると、子機カメラ１２が起動して親機２に呼出信号と共に子機カメラ１２の撮像映像が送信される。そして親機２では、呼出音が鳴動すると共にモニタ２５に来訪者映像が表示される。また子機１では、子機ＣＰＵ１６の制御により、撮像を開始した子機カメラ１２の撮像映像が子機記憶部１４に録画保存される。
【００１６】
尚、子機記憶部１４が保存する映像は、親機２に送信される映像に比べてデータサイズが小さい（データ量が少ない）。また、録画時間は一定時間（例えば１０分）であり、一定時間を超えると、古い映像に上書きされて保存が継続され、古い映像は自動消去される。
【００１７】
このように通常モードでは親機２では映像は保存されないが、親機操作部２２が操作されて録画操作されたら、モニタ２５に表示されている映像が親機記憶部２７に保存される。また、親機操作部２２が留守モードに設定された場合は、子機１での録画保存と同様に親機２でも子機カメラ１２の撮像映像の保存が成される。
具体的に、親機操作部２２が操作されて留守モードに設定されると、システムは留守モードに移行する。留守モード状態で呼出操作を受けると、子機カメラ１２の撮像映像は引き続き子機記憶部１４での保存が継続され、加えて親機記憶部２７でも自動保存される。このとき親機記憶部２７に保存される映像は、子機記憶部１４に保存される映像に比べてデータサイズが大きく高解像度の映像が保存される。この親機２での自動録画は一定時間（例えば１分）実施される。
【００１８】
また、留守の状態で空き巣が現れた場合は以下の様に動作する。呼出操作して留守を確認した後、窓等から住戸内に侵入した不審者が、録画機能を具備している親機２の存在に気づき、録画映像が残らないように親機２を持ち去ろうと壁から取り外すと、伝送線Ｌ１を介した子機１との接続が切断される。
すると、子機ＣＰＵ１６が伝送線Ｌ１のインピーダンスの変化からそれを検知して、電源を非常用電源である子機蓄電池１８に切り替えて子機通話部１３のスピーカからブザー音等の警報音を発報して近隣に報知させる。
一方、親機２も親機ＣＰＵ２８が子機１と同様に伝送線Ｌ１のインピーダンスの変化から断線を認識して、電源を非常用電源である親機蓄電池３１に切り替えて、親機通話部２３のスピーカからブザー音等の警報音の発報を開始させ、親機２は警報音の発報を開始する。
【００１９】
尚、親機蓄電池３１は電源部３０により充電状態であるし、子機１は伝送線Ｌ１を介して親機２から電源が供給されており、この電源により子機蓄電池１８は充電されている。      
【００２０】
このように、空き巣等の侵入者が親機２を取り外して子機１と親機２の間に配設された伝送線Ｌ１が断線したら、子機１及び親機２から警報音が発報されるため、子機１から警報音により近所に異常発生を通知でき不審者の撃退に有効であるし、近隣に注意を促すことができる。一方、親機２から発せられる警報音により空き巣等の侵入者を慌てさせて速やかな退散を促すことが可能となり、防犯に有効である。
また、子機カメラ１２の撮像映像を子機１が保存するため、親機２が故障或いは破壊されても来訪者映像を取り出して確認することが可能であり、不審者の特定に有効でありセキュリティの向上に役立つ。
加えて、子機カメラ１２の撮像映像は常に子機記憶部１４に保存されるので、親機２の所定の操作、例えば留守設定等の親機２において自動録画する操作をし忘れても子機カメラ１２の撮像映像を残すことができ、留守時の来訪者映像の確認が可能であり、セキュリティ機能を向上できる。
【００２１】
尚、上記実施形態では、伝送線Ｌ１が切断されたら、子機１、親機２の双方で警報音を発するが、子機１のみが警報音を発するだけでも良い。
【符号の説明】
【００２２】
１・・子機、２・・親機、１１・・呼出ボタン、１２・・子機カメラ、１４・・子機記憶部（第１映像保存部）、１６・・子機ＣＰＵ（子機断線検知部）、１８・・子機蓄電池、２１・・通話ボタン、２５・・モニタ、２７・・親機記憶部（第２映像保存部）、２８・・親機ＣＰＵ（親機断線検知部、親機映像制御部）、３１・・親機蓄電池、Ｌ１・・伝送線。
【図１】
2019068359.tif 000003